(57)【要約】【課題】  複数のデジタル放送を受信することが可能なデジタル放送受信装置において、効率良くかつ安定して、プログラムデータを取り込むことを可能とする。【解決手段】  ＢＳ／ＣＳチューナ２、ＴＳデコーダ３、ＡＶデコーダ４を含み、ＢＳ／ＣＳデジタル放送を受信することを可能とするＢＳ／ＣＳデジタル放送受信系統と、地上波チューナ６、ＴＳデコーダ７、ＡＶデコーダ８を含み、地上波デジタル放送を受信することを可能とする地上波デジタル放送受信系統との２つのデジタル放送受信系統を有するデジタル放送受信装置２０に、それぞれの受信系統からの受信Ｃ／Ｎ値の入力を受けて、この受信Ｃ／Ｎ値を比較するＣ／Ｎ値比較部（受信状況評価部）２１を設ける。そして、このＣ／Ｎ値比較部で受信状況がより良いと評価されたデジタル放送の受信系統を用いて、プログラムデータの取り込みを行う。【選択図】  図１
2005198040.tif 000002
【特許請求の範囲】
【請求項１】
複数のデジタル放送を受信することが可能なデジタル放送受信装置であって、
前記複数のデジタル放送を受信するための複数のチューナと、
前記複数のデジタル放送のそれぞれに係る受信状況を検出する複数の受信状況検出手段と、
前記複数のチューナのそれぞれで受信したデジタル放送信号に含まれるプログラムデータを抽出する複数のプログラム抽出手段と、
前記複数のプログラム抽出手段によって抽出されたプログラムデータを格納するためのプログラム格納手段と、
前記複数の受信状況検出手段のそれぞれで検出された前記複数のデジタル放送のそれぞれに係る受信状況を評価する受信状況評価手段と、
前記受信状況評価手段によって前記受信状況が最も良いと評価された前記デジタル放送を選択する放送種別選択手段とを有し、
前記放送種別選択手段によって選択された前記デジタル放送の前記デジタル放送信号に含まれる前記プログラムデータが、前記プログラム格納手段に格納されるように前記プログラムデータの取り込み制御を行うプログラム取得制御手段とを、
有するデジタル放送受信装置。
【発明の詳細な説明】
【技術分野】
【０００１】
本発明は、デジタル放送を受信することが可能なデジタル放送受信装置に関し、特に、デジタル放送信号に含まれるプログラムデータのダウンロードや、デジタル放送信号に含まれるアップデート用のプログラムデータをダウンロードし、デジタル放送受信装置内に格納されているプログラムデータのアップデートを行うことが可能なデジタル放送受信装置に関する。
【背景技術】
【０００２】
従来のデジタル放送受信装置に関して、図３を参照しながら説明する。図３は、従来の技術におけるデジタル放送を受信するためのデジタル放送受信装置の構成の概略を示すブロック図である。デジタル放送受信装置１６は、ＢＳ（Broadcast Satellite：放送衛星）／ＣＳ（Communication Satellite：通信衛星）チューナ２、ＴＳ（Tranport Stream：トランスポートストリーム）デコーダ３、ＡＶ（Audio/Video：オーディオビデオ）デコーダ４、地上波チューナ６、ＴＳデコーダ７、ＡＶデコーダ８、スイッチ９、システムコントローラ１２、メモリ１３、プログラム格納部１４、表示制御部１５を有しており、ＢＳ／ＣＳアンテナ１、地上波アンテナ５、モニタ１０、操作入力部１１と接続している。
【０００３】
以下、図３に示すデジタル放送受信装置１６の入力系統の１つであるＢＳ／ＣＳデジタル放送受信系統の処理について説明する。所定の位置に設置されたＢＳ／ＣＳアンテナ１によって受信されたＢＳ又はＣＳからの放送波は、デジタル放送受信装置１６のＢＳ／ＣＳチューナ２に供給される。ＢＳ／ＣＳチューナ２では、供給された放送波に関して、受信した中間周波数信号に基づく受信トランスポンダの切り換え処理や、受信した信号の復調処理及び誤り訂正処理によるベースバンド信号の取得処理などが行われ、処理後の信号をトランスポートストリームとして、ＴＳデコーダ３に供給する。ＴＳデコーダ３は、ＢＳ／ＣＳチューナ２から供給されたトランスポートストリームの中から必要な映像及び音声に対応するパケットを抽出するとともに、多重化された番組やチャンネルの付加情報に対するパケットを抽出するプログラム抽出部としての機能も有している。
【０００４】
ＴＳデコーダ３によって抽出された映像及び音声に対応するパケットは、ＡＶデコーダ４に供給され、ＡＶデコーダ４によって、アナログ映像及び音声信号に再生出力され、その結果、スイッチ９で地上波デジタル放送との切り換えが行われて、当該アナログ映像及び音声信号がモニタ１０に供給されて、モニタ１０上に表示される。
【０００５】
一方、ＴＳデコーダ３によって抽出された番組やチャンネルの付加情報に対するパケットは、システムコントローラ１２の制御によってメモリ１３に取り込まれる。メモリ１３に取り込まれた情報は、操作入力部１１によって入力されるユーザのキー操作に応じて処理される。すなわち、操作入力部１１から入力されたキー操作は、システムコントローラ１２によって、その内容が解釈され、例えば、番組表の閲覧などのキーが押された場合には、メモリ１３に取り込まれた情報のうちの所定の情報が読み出され、表示制御部１５で表示用イメージデータに展開されて、スイッチ９からのアナログ映像及び音声信号の出力と足し合わされて、モニタ１０上に表示される。また、ＴＳデコーダ３によって抽出されたデータがデジタル放送受信装置１６において動作するプログラムデータの場合には、このプログラムデータはメモリ１３に取り込まれた後、所定の処理を経てプログラム格納部１４に格納される。なお、プログラムデータが新規のプログラムデータの場合には、プログラムデータはそのままプログラム格納部１４に格納される一方、プログラムデータがアップデート用のプログラムデータの場合には、すでにプログラム格納部１４に格納されているプログラムデータのアップデートが行われる。
【０００６】
次に、図３に示すデジタル放送受信装置１６の別の入力系統である地上波デジタル放送受信系統の処理について説明する。所定の位置に設置された地上波アンテナ５によって受信された地上波送信用アンテナからの放送波は、デジタル放送受信装置１６の地上波チューナ６に供給される。地上波チューナ６、ＴＳデコーダ７、ＡＶデコーダ８における処理は、上述したＢＳ／ＣＳ波受信系統のＢＳ／ＣＳチューナ２、ＴＳデコーダ３、ＡＶデコーダ４における処理とほぼ同一である。すなわち、ＴＳデコーダ７によって抽出された映像及び音声に対応するパケットは、ＡＶデコーダ８による処理を経て、モニタ１０上に表示される一方、ＴＳデコーダ７によって抽出された番組やチャンネルの付加情報に対するパケットは、メモリ１３によって取り込まれた後、ユーザによる操作に応じて、モニタ１０上に重ね合わされて表示される。また、プログラムデータに関しては、所定の処理を経てプログラム格納部１４に格納される。
【０００７】
このように、ＢＳ／ＣＳデジタル放送及び地上波デジタル放送の両方を受信し再生することが可能なデジタル放送受信装置１６は、上記２つのデジタル放送を介して供給されるデジタル放送受信装置１６用のプログラムデータを、ほとんど同一の仕組みによって受信し、格納することが可能である。なお、このようなデジタル放送受信装置１６は、例えば、下記の特許文献１や特許文献２に開示されている。
【０００８】
さらに、図４を参照しながら、上述した図３に示すデジタル放送受信装置１６の動作について説明する。図４は、図３に示すデジタル放送受信装置の動作を説明するためのフローチャートである。なお、図４に示すフローチャートは、システムコントローラ１２による制御プログラムの実行に係る処理を示すものである。まず、システムコントローラ１２の制御プログラムは、地上波デジタル放送内で自デジタル放送受信装置１６向けのプログラムデータが送出されているか否かを検出する（ステップＳ４０１）。また、ここでは、プログラムデータが送出されていることが検出された場合には、そのプログラムデータのバージョンが取得すべきバージョンであるか否か、現状の受信Ｃ／Ｎ値（Carrier to Noise Ratio：搬送波電力対雑音電力比）がデータの取得に耐えうるレベルのものであるか否かなどの確認も行われる。その結果、受信すべきプログラムデータであると判断された場合には、プログラムデータの取り込みを行い（ステップＳ４０３）、その後、取得したプログラムデータのエラーチェックを行う（ステップＳ４０５）。なお、必要に応じて、上記のエラーチェックと同時にエラー訂正処理が行われる。その結果、例えば、エラーが存在し、そのリカバリができなかった場合には、ステップＳ４０１に戻って、再度、上述の処理を繰り返し行う一方、エラーがなかった場合や、エラーのリカバリができた場合には、取り込んだプログラムデータをプログラム格納部１４に書き込み（ステップＳ４０７）、処理は終了となる。
【０００９】
一方、ステップＳ４０１で、プログラムデータが送出されていないか、又は、例えば、プログラムデータのバージョン情報に基づいて、取得する必要のないプログラムデータが送出されていると判断された場合には、ＢＳ／ＣＳデジタル放送波に関して、上述のものと同様の処理を行い、ＢＳ／ＣＳデジタル放送内で自デジタル放送受信装置１６向けのプログラムデータが送出されているか否かを検出する（ステップＳ４０９）。その結果、受信すべきプログラムデータであると判断された場合には、上述の地上波デジタル放送に係る処理（ステップＳ４０３〜Ｓ４０７）と同様に、プログラムデータの取り込みを行い（ステップＳ４１１）、その後、取得したプログラムデータのエラーチェックを行って（ステップＳ４１３）、エラーがなかった場合や、エラーのリカバリができた場合には、取り込んだプログラムデータをプログラム格納部１４に書き込み（ステップＳ４１５）、処理は終了となる。なお、ステップＳ４０９で、プログラムデータが送出されていないか、又は、例えば、プログラムデータのバージョン情報に基づいて、取得する必要のないプログラムデータが送出されていると判断された場合や、エラーが存在し、そのリカバリができなかった場合などには、再度、ステップＳ４０１に戻って、上述の処理が繰り返し行われる。
【００１０】
また、下記の特許文献３には、デジタル放送において、受信Ｃ／Ｎ値に基づいて、プログラムデータの取得（ダウンロード）を行うか否かを決定するデジタル放送受信装置が開示されている。この特許文献３に開示されている技術によれば、新しいプログラムデータが検出された際、ビットエラーレートから受信Ｃ／Ｎ値を算出し、受信Ｃ／Ｎ値が所定値より大きく、受信状況が良好な場合のみ、プログラムデータの取り込みを行うことが可能となる。
【特許文献１】特開２００２−３１９８７１号公報（図１）
【特許文献２】特開平１１−４４５１号公報（図１、図３）
【特許文献３】特開平１０−２５７４５３号公報（図１）
【発明の開示】
【発明が解決しようとする課題】
【００１１】
しかしながら、例えば、特許文献１や特許文献２に開示されている従来のデジタル放送受信装置は、そのとき受信可能なプログラムデータを優先的に取り込む構成となっている。すなわち、プログラムデータが、ＢＳ／ＣＳデジタル放送及び地上波デジタル放送の両方から送られてきている場合でも、例えば、たまたま最初に受信したのがＢＳ／ＣＳデジタル放送からのプログラムデータであった場合には、デジタル放送受信装置は、プログラムデータをＢＳ／ＣＳデジタル放送から取り込み、また同様に、たまたま最初に受信したのが地上波デジタル放送からのプログラムデータであった場合には、デジタル放送受信装置は、プログラムデータを地上波デジタル放送から取り込むよう構成されている。したがって、たまたま取り込みを開始した放送の受信Ｃ／Ｎ値が、他方の放送に比べて相対的に悪く、受信途中にプログラムデータの取り込みに失敗した場合、再度、最初から取り直しを行う必要があり、動作上、効率的ではないという課題がある。
【００１２】
また、特許文献３に開示されている従来のデジタル放送受信装置では、受信Ｃ／Ｎ値が規定されている所定値以下の場合には、プログラムデータのダウンロードが行われないため、例えば、受信状況のあまり良くない場所に設置されたデジタル放送受信装置では、なかなかプログラムデータのダウンロードが行われなかったり、各デジタル放送受信装置の設置環境に応じて、上記の所定値の設定を行わなければならなかったりするという課題がある。
【００１３】
上記課題を解決するため、本発明は、複数のデジタル放送を受信することが可能なデジタル放送受信装置において、効率良くかつ安定して、プログラムデータを取り込むことが可能なデジタル放送受信装置を提供することを目的とする。
【課題を解決するための手段】
【００１４】
上記目的を達成するため、本発明では、受信Ｃ／Ｎ値などを始めとする受信状況を評価し、その評価結果に基づいて、複数のデジタル放送の中から受信状況の良好なデジタル放送を自動的に選択し、そのデジタル放送のデジタル放送信号に含まれるプログラムデータを取得するようにしている。
【００１５】
すなわち、上記目的を達成するため、本発明によれば、複数のデジタル放送を受信することが可能なデジタル放送受信装置であって、
前記複数のデジタル放送を受信するための複数のチューナと、
前記複数のデジタル放送のそれぞれに係る受信状況を検出する複数の受信状況検出手段と、
前記複数のチューナのそれぞれで受信したデジタル放送信号に含まれるプログラムデータを抽出する複数のプログラム抽出手段と、
前記複数のプログラム抽出手段によって抽出されたプログラムデータを格納するためのプログラム格納手段と、
前記複数の受信状況検出手段のそれぞれで検出された前記複数のデジタル放送のそれぞれに係る受信状況を評価する受信状況評価手段と、
前記受信状況評価手段によって前記受信状況が最も良いと評価された前記デジタル放送を選択する放送種別選択手段とを有し、
前記放送種別選択手段によって選択された前記デジタル放送の前記デジタル放送信号に含まれる前記プログラムデータが、前記プログラム格納手段に格納されるように前記プログラムデータの取り込み制御を行うプログラム取得制御手段とを、
有するデジタル放送受信装置が提供される。
【発明の効果】
【００１６】
本発明のデジタル放送受信装置は、複数のデジタル放送の中から、最適な受信状況のデジタル放送に係るデジタル放送信号を選択し、このデジタル放送信号に含まれるプログラムデータを取り込むことが可能であり、効率良く、かつ安定して、プログラムデータの取り込みを行うことが可能であるという効果を有する。
【発明を実施するための最良の形態】
【００１７】
以下、図面を参照しながら、本発明の実施の形態について説明する。図１は、本発明におけるデジタル放送を受信するためのデジタル放送受信装置の構成の概略を示すブロック図である。図１に示すデジタル放送受信装置２０は、図３に示す従来の技術におけるデジタル放送受信装置１６の構成に加えて、さらに、Ｃ／Ｎ値比較部（受信状況評価部）２１を有しており、システムコントローラ１２は、このＣ／Ｎ値比較部２１から供給される比較結果に基づいて、複数のデジタル放送の中から、受信Ｃ／Ｎ値が良好なデジタル放送から送出されているプログラムデータを選択的に取り込むことが可能なよう構成されている。
【００１８】
例えば、複数のデジタル放送のそれぞれの受信系統（ここでは、ＢＳ／ＣＳデジタル放送受信系統及び地上波デジタル放送受信系統）に係るＴＳデコーダ３、７が、エラー訂正を行う際に取得可能なビットエラーレートから、それぞれの放送波における受信Ｃ／Ｎ値を算出し、この受信Ｃ／Ｎ値をＣ／Ｎ値比較部２１に供給する。Ｃ／Ｎ値比較部２１は、ＴＳデコーダ３から供給されるＢＳ／ＣＳデジタル放送に係る受信Ｃ／Ｎ値と、ＴＳデコーダ７から供給される地上波デジタル放送に係る受信Ｃ／Ｎ値とを比較して、受信Ｃ／Ｎ値の高いデジタル放送に係る情報（ＢＳ／ＣＳデジタル放送に係る受信Ｃ／Ｎ値、及び、地上波デジタル放送に係る受信Ｃ／Ｎ値のどちらが高いかを示す情報）をシステムコントローラ１２に供給する。システムコントローラ１２は、この受信Ｃ／Ｎ値の高いデジタル放送に係る情報に基づいて、受信Ｃ／Ｎ値の高いデジタル放送の放送波からプログラムデータの取り込みを行うように、受信系統を選択することによって、受信Ｃ／Ｎ値の高いデジタル放送から送出されるプログラムデータを選択的に取り込むことが可能となる。すなわち、システムコントローラ１２は、受信状況が最も良いと評価されたデジタル放送を選択する放送選択部としての機能と、選択されたデジタル放送のデジタル放送信号に含まれるプログラムデータが、プログラム格納部１４に取り込まれるように制御するプログラム取得制御部としての機能も有している。
【００１９】
なお、図１に示すＣ／Ｎ値比較部２１は、システムコントローラ１２によっても実現可能であり、ビットエラーレートから受信Ｃ／Ｎ値を算出する処理をシステムコントローラ１２で行うようにすることも可能である。また、さらには、システムコントローラ１２が実行可能な制御プログラムによって、Ｃ／Ｎ値比較部２１における受信Ｃ／Ｎ値の比較処理やビットエラーレートから受信Ｃ／Ｎ値を算出する処理を実現することも可能である。また、図１では、ＴＳデコーダ３、７が、受信Ｃ／Ｎ値を利用したデジタル放送の受信状況検出部としての機能を有する場合について説明しているが、ビットエラーレートの値をそのまま利用したり、Ｓ／Ｎ比を利用したりすることによって、受信状況を検出することも可能である。また、図１では、複数のデジタル放送として、ＢＳ／ＣＳデジタル放送及び地上波デジタル放送の２つを一例として挙げているが、その他のデジタル放送を利用することも可能であり、また、さらに多くの種類（３種類以上）のデジタル放送の受信状況の評価を行うことも可能である。この場合の評価方法としては、例えば、複数のデジタル放送のそれぞれの受信状況を相互に比較して、最も受信状況の良いものを選択したり、複数のデジタル放送のそれぞれの受信状況に対する点数付け（レーティング）などを行い、最も点数の良いものを選択したりすることが可能である。
【００２０】
次に、図２を参照しながら、上述した図１に示すデジタル放送受信装置２０の動作について説明する。図２は、図１に示すデジタル放送受信装置の動作を説明するためのフローチャートである。まず、システムコントローラ１２の制御プログラムは、地上波デジタル放送内で自デジタル放送受信装置２０向けのプログラムデータが送出されているか否かを検出する（ステップＳ２０１）。また、さらに、地上波デジタル放送内で、プログラムデータが送出されているか否かを問わず、ＢＳ／ＣＳデジタル放送内で自デジタル放送受信装置２０向けのプログラムデータが送出されているか否かを検出する（ステップＳ２０３、Ｓ２０５）。
【００２１】
この結果、地上波デジタル放送内でプログラムデータが送出されており、かつ、ＢＳ／ＣＳデジタル放送内でプログラムデータが送出されている場合（ステップＳ２０１で『はい』、ステップＳ２０５で『はい』の場合：この場合を第１の場合と呼ぶ）、地上波デジタル放送内でプログラムデータが送出されており、かつ、ＢＳ／ＣＳデジタル放送内でプログラムデータが送出されていない場合（ステップＳ２０１で『はい』、ステップＳ２０５で『いいえ』の場合：この場合を第２の場合と呼ぶ）、地上波デジタル放送内でプログラムデータが送出されておらず、かつ、ＢＳ／ＣＳデジタル放送内でプログラムデータが送出されている場合（ステップＳ２０１で『いいえ』、ステップＳ２０５で『はい』の場合：この場合を第３の場合と呼ぶ）、地上波デジタル放送内でプログラムデータが送出されておらず、かつ、ＢＳ／ＣＳデジタル放送内でプログラムデータが送出されていない場合（ステップＳ２０１で『いいえ』、ステップＳ２０５で『いいえ』の場合：この場合を第４の場合と呼ぶ）の４つの場合が検出される。
【００２２】
上述の第１の場合には、地上波デジタル放送及びＢＳ／ＣＳデジタル放送の両方において、プログラムデータが送出されている。この場合、Ｃ／Ｎ値比較部２１は、地上波デジタル放送の受信Ｃ／Ｎ値と、ＢＳ／ＣＳデジタル放送の受信Ｃ／Ｎ値との比較を行い（ステップＳ２０７）、地上波デジタル放送の受信Ｃ／Ｎ値のほうが相対的に高い場合には、地上波デジタル放送の受信状況のほうが良好であると評価し、ステップＳ２０９に進む。一方、ＢＳ／ＣＳデジタル放送の受信Ｃ／Ｎ値のほうが相対的に高い場合には、ＢＳ／ＣＳデジタル放送の受信状況のほうが良好であると評価し、ステップＳ２１５に進む。
【００２３】
また、上述の第２の場合には、地上波デジタル放送内でのみプログラムデータが送出されており、この地上波デジタル放送で送出されているプログラムの取り込みを行うべく、ステップＳ２０９に進む。また、上述の第３の場合には、ＢＳ／ＣＳデジタル放送内でのみプログラムデータが送出されており、このＢＳ／ＣＳデジタル放送で送出されているプログラムの取り込みを行うべく、ステップＳ２１５に進む。また、上述の第４の場合には、地上波デジタル放送及びＢＳ／ＣＳデジタル放送の両方において、プログラムデータが送出されておらず、ステップＳ２０１に戻る。
【００２４】
上述の第１の場合において、地上波デジタル放送の受信状況のほうが良好であると評価された場合や、上述の第２の場合には、デジタル放送受信装置２０は、地上波デジタル放送から送出されているプログラムデータの取り込みを行い（ステップＳ２０９）、その後、取得したプログラムデータのエラーチェックを行う（ステップＳ２１１）。なお、必要に応じて、上記のエラーチェックと同時にエラー訂正処理が行われる。その結果、例えば、エラーが存在し、エラーのリカバリができなかった場合には、ステップＳ２０１に戻って、再度、上述の処理を繰り返し行う一方、エラーがなかった場合や、エラーのリカバリができた場合には、取り込んだプログラムデータをプログラム格納部１４に書き込み（ステップＳ２１３）、処理は終了となる。
【００２５】
一方、上述の第１の場合において、ステップＳ２０７でＢＳ／ＣＳデジタル放送の受信状況のほうが良好であると評価された場合や、上述の第３の場合には、デジタル放送受信装置２０は、ＢＳ／ＣＳデジタル放送から送出されているプログラムデータの取り込みを行い（ステップＳ２１５）、その後、取得したプログラムデータのエラーチェックを行う（ステップＳ２１７）。なお、必要に応じて、上記のエラーチェックと同時にエラー訂正処理が行われる。その結果、例えば、エラーが存在し、そのリカバリができなかった場合には、ステップＳ２０１に戻って、再度、上述の処理を繰り返し行う一方、エラーがなかった場合や、エラーのリカバリができた場合には、取り込んだプログラムデータをプログラム格納部１４に書き込み（ステップＳ２１９）、処理は終了となる。
【００２６】
なお、上述の実施の形態では、デジタル放送受信装置２０は、常に受信状況の良好なデジタル放送を選択してプログラムデータの取り込みを行うよう構成されているが、例えば、ユーザによる操作入力部１１からの入力によって、いずれか１つのデジタル放送が設定されるようにすることも可能である。このようなユーザによる設定が行われた場合には、デジタル放送受信装置２０は、ユーザにより設定されたデジタル放送から送出されるプログラムデータのみを取り込むようにする。
【産業上の利用可能性】
【００２７】
本発明のデジタル放送受信装置は、受信Ｃ／Ｎ値などを始めとする受信状況を評価し、その評価結果に基づいて、複数のデジタル放送の中から受信状況の良好なデジタル放送を自動的に選択し、そのデジタル放送のデジタル放送信号に含まれるプログラムデータを取り込むことによって、効率的かつ安定したプログラムデータの取り込みを行うものであり、デジタル放送を受信することが可能なデジタル放送受信装置の技術分野に適用される。
【図面の簡単な説明】
【００２８】
【図１】本発明におけるデジタル放送を受信するためのデジタル放送受信装置の構成の概略を示すブロック図である。
【図２】図１に示すデジタル放送受信装置の動作を説明するためのフローチャートである。
【図３】従来の技術におけるデジタル放送を受信するためのデジタル放送受信装置の構成の概略を示すブロック図である。
【図４】図３に示すデジタル放送受信装置の動作を説明するためのフローチャートである。
【符号の説明】
【００２９】
１  ＢＳ／ＣＳアンテナ
２  ＢＳ／ＣＳチューナ
３、７  ＴＳデコーダ
４、８  ＡＶデコーダ
５  地上波アンテナ
６  地上波チューナ
９  スイッチ
１０  モニタ
１１  操作入力部
１２  システムコントローラ
１３  メモリ
１４  プログラム格納部
１５  表示制御部
１６、２０  デジタル放送受信装置
２１  Ｃ／Ｎ値比較部（受信状況評価部）
【図１】
2005198040.tif 000003
【図２】
2005198040.tif 000004
【図３】
2005198040.tif 000005
【図４】
2005198040.tif 000006